(57)【特許請求の範囲】
【請求項１】
一括受電を行っている建物に設置された複数のヒートポンプ式貯湯装置の運転時間設定方法であって、
前記複数のヒートポンプ式貯湯装置の過去の運転履歴データを取得し、
前記建物における過去の消費電力履歴データを取得し、
前記複数のヒートポンプ式貯湯装置の過去の使用湯量を取得し、
過去および翌日の気象情報データを取得し、
前記運転履歴データと、前記過去の消費電力履歴データと、前記過去および翌日の気象情報とから、翌日の消費電力のピーク時間帯を判断し、
前記ピーク時間帯に動作する予定のヒートポンプ式貯湯装置を判断し、
前記ピーク時間帯に動作する予定のヒートポンプ式貯湯装置のうち、朝・昼の使用湯量が所定量以上の予定のヒートポンプ式貯湯装置を、夜間の動作時間帯を早めに変更できるヒートポンプ式貯湯装置であると判断し、
前記動作時間帯を変更できるヒートポンプ式貯湯装置に、動作時間帯を変更した設定時間を送信することを特徴とするヒートポンプ式貯湯装置の運転時間設定方法。
【請求項２】
一括受電を行っている建物に設置された複数のヒートポンプ式貯湯装置の運転時間設定方法であって、
前記複数のヒートポンプ式貯湯装置の過去の運転履歴データを取得し、
前記建物における過去の消費電力履歴データを取得し、
前記複数のヒートポンプ式貯湯装置の過去の使用湯量を取得し、
過去および翌日の気象情報データを取得し、
前記運転履歴データと、前記過去の消費電力履歴データと、前記過去および翌日の気象情報とから、翌日の消費電力のピーク時間帯を判断し、
前記ピーク時間帯に動作する予定のヒートポンプ式貯湯装置を判断し、
前記ピーク時間帯に動作する予定のヒートポンプ式貯湯装置のうち、朝・昼の使用湯量が所定量未満の予定のヒートポンプ式貯湯装置を、深夜の動作時間帯を短縮できるヒートポンプ式貯湯装置であると判断し、
前記動作時間帯を短縮できるヒートポンプ式貯湯装置に、動作時間帯を短縮した設定時間を送信することを特徴とするヒートポンプ式貯湯装置の運転時間設定方法。
【請求項３】
一括受電を行っている建物に設置された複数のヒートポンプ式貯湯装置の運転計画システムであって、
前記複数のヒートポンプ式貯湯装置の過去の運転履歴データと、該複数のヒートポンプ式貯湯装置の過去の使用湯量と、前記建物における消費電力履歴データと、過去の気象情報データを記憶するデータ記憶手段と、
翌日の気象情報を取得する気象情報取得手段と、
前記ヒートポンプ式貯湯装置の運転計画を作成する運転計画作成手段と、
を含み、
前記運転計画作成手段は、
前記運転履歴データと、前記過去の消費電力履歴データと、前記過去および翌日の気象情報とから、翌日の消費電力のピーク時間帯を判断し、
前記ピーク時間帯に動作する予定のヒートポンプ式貯湯装置を判断し、
前記ピーク時間帯に動作する予定のヒートポンプ式貯湯装置のうち、朝・昼の使用湯量が所定量以上の予定のヒートポンプ式貯湯装置を、夜間の動作時間帯を早めに変更できるヒートポンプ式貯湯装置であると判断し、
前記動作時間帯を変更できるヒートポンプ式貯湯装置に、動作時間帯を変更した設定時間を送信することを特徴とするヒートポンプ式貯湯装置の運転計画システム。
【請求項４】
一括受電を行っている建物に設置された複数のヒートポンプ式貯湯装置の運転計画システムであって、
前記複数のヒートポンプ式貯湯装置の過去の運転履歴データと、該複数のヒートポンプ式貯湯装置の過去の使用湯量と、前記建物における消費電力履歴データと、過去の気象情報データを記憶するデータ記憶手段と、
翌日の気象情報を取得する気象情報取得手段と、
前記ヒートポンプ式貯湯装置の運転計画を作成する運転計画作成手段と、
を含み、
前記運転計画作成手段は、
前記運転履歴データと、前記過去の消費電力履歴データと、前記過去および翌日の気象情報とから、翌日の消費電力のピーク時間帯を判断し、
前記ピーク時間帯に動作する予定のヒートポンプ式貯湯装置を判断し、
前記ピーク時間帯に動作する予定のヒートポンプ式貯湯装置のうち、朝・昼の使用湯量が所定量未満の予定のヒートポンプ式貯湯装置を、深夜の動作時間帯を短縮できるヒートポンプ式貯湯装置であると判断し、
前記動作時間帯を短縮できるヒートポンプ式貯湯装置に、動作時間帯を短縮した設定時間を送信することを特徴とするヒートポンプ式貯湯装置の運転計画システム。
【発明の詳細な説明】
【技術分野】
【０００１】
本発明は、一括受電を行っている建物に設置された複数のヒートポンプ式貯湯装置の運転時間設定方法、かかるヒートポンプ式貯湯装置の運転計画システムに関するものである。
【背景技術】
【０００２】
住宅等における熱源の１つとしてヒートポンプ式貯湯装置がある。ヒートポンプ式貯湯装置では、深夜時間帯（例えば２３時〜７時）の電力を利用して湯水を生成し、生成した湯水を貯湯タンク（貯湯槽）に貯湯しておく。そして、貯湯された湯水を、日中、必要に応じて貯湯槽から給湯設備等に供給して使用する。
【０００３】
また近年、マンション等の集合住宅において一括受電方式の採用が進んでいる。一括受電方式では、デベロッパーや管理会社が、集合住宅全体で電力会社との高圧電力契約を行い、各戸の居住者は、デベロッパーや管理会社と低圧電力契約を行う。このような一括受電方式を採用することにより、電気料金を削減できるという利点がある。
【０００４】
一括受電方式では、電力会社との（高圧電力契約の）受電契約容量によって電気料金が変動する。このため、消費電力のピークを抑制する、換言すれば消費電力を平滑化することが、電気料金の更なる削減に重要な課題となる。消費電力のピークを抑制する手段としては、例えば特許文献１に開示されている貯湯式給湯装置がある。
【０００５】
特許文献１の貯湯式給湯装置では、深夜時間帯における沸き上げ運転の開始時間や停止時間が異なる第１運転モードおよび第２運転モードが設定されている。そして、決定手段によって、第１運転モードまたは第２運転モードのいずれにおいて沸き上げ運転を行うかが決定される。
【先行技術文献】
【特許文献】
【０００６】
【特許文献１】特開２０１４−１３７２００号公報
【発明の概要】
【発明が解決しようとする課題】
【０００７】
特許文献１の構成によれば、貯湯式給湯装置の運転時間が２パターンに分かれることにより、深夜時間帯における消費電力のピークは緩和されると考えられる。しかしながら、特許文献１の構成であると、やはり他の時間帯に比して深夜時間帯の消費電力が大きくなることには変わりがない。またマンション等の集合住宅では、深夜時間帯に沸き上げておいた湯水を日中に消費するため、湯水が不足すると夜間に追加で湯水を沸き上げることがある。このため、消費電力のピークは深夜時間帯に加えて夜間時間帯にも生じる。故に、より効果的に消費電力のピークを抑制する手段の開発が要請されていた。
【０００８】
本発明は、このような課題に鑑み、一括受電を行っている建物に設置された複数のヒートポンプ式貯湯装置において、深夜時間帯（例えば２３時〜７時）や夜間時間帯（例えば１７時〜２３時）の消費電力のピークを抑制することができ、受電契約容量の低下、ひいては需要家の電気料金の削減を図ることが可能なヒートポンプ式貯湯装置の運転時間設定方法およびヒートポンプ式貯湯装置の運転計画システムを提供することを目的としている。
【課題を解決するための手段】
【０００９】
上記課題を解決するために、本発明にかかるヒートポンプ式貯湯装置の運転時間設定方法の代表的な構成は、一括受電を行っている建物に設置された複数のヒートポンプ式貯湯装置の運転時間設定方法であって、複数のヒートポンプ式貯湯装置の過去の運転履歴データを取得し、建物における過去の消費電力履歴データを取得し、過去および翌日の気象情報データを取得し、運転履歴データと、過去の消費電力履歴データと、過去および翌日の気象情報とから、翌日の消費電力のピーク時間帯を判断し、ピーク時間帯に動作する予定のヒートポンプ式貯湯装置を判断し、ピーク時間帯に動作する予定のヒートポンプ式貯湯装置のうち、動作時間帯を変更できるヒートポンプ式貯湯装置を判断し、動作時間帯を変更できるヒートポンプ式貯湯装置に、動作時間帯を変更した設定時間を送信することを特徴とする。
【００１０】
上記構成によれば、ピーク時間帯に動作する予定のヒートポンプ式貯湯装置のうち、動作時間を変更することが可能なヒートポンプ式貯湯装置を判断することができる。そして、そのヒートポンプ式貯湯装置の動作時間を、深夜時間帯や夜間時間帯以外の時間帯に変更することにより、深夜時間帯や夜間時間帯の消費電力のピークを抑制される。したがって、一括受電方式の受電契約容量を低下し、需要家の電気料金の削減を図ることが可能となる。
【００１１】
上記複数のヒートポンプ式貯湯装置の過去の使用湯量を取得し、ピーク時間帯に動作する予定のヒートポンプ式貯湯装置のうち、朝・昼の使用湯量が所定量以上の予定のヒートポンプ式貯湯装置を、夜間の動作時間帯を早めに変更できるヒートポンプ式貯湯装置であると判断するとよい。かかる構成によれば、特に夜間時間帯のピークを好適に抑制することが可能である。なお、朝・昼の時間帯としては、例えば７時〜１７時を例示することができる。
【００１２】
上記複数のヒートポンプ式貯湯装置の過去の使用湯量を取得し、ピーク時間帯に動作する予定のヒートポンプ式貯湯装置のうち、朝・昼の使用湯量が所定量未満の予定のヒートポンプ式貯湯装置を、深夜の動作時間帯を短縮できるヒートポンプ式貯湯装置であると判断するとよい。かかる構成によれば、特に深夜時間帯のピークを好適に抑制することが可能である。
【００１３】
上記課題を解決するために、本発明にかかるヒートポンプ式貯湯装置の運転計画システムの代表的な構成は、一括受電を行っている建物に設置された複数のヒートポンプ式貯湯装置の運転計画システムであって、複数のヒートポンプ式貯湯装置の過去の運転履歴データと、建物における消費電力履歴データと、過去の気象情報データを記憶するデータ記憶手段と、翌日の気象情報を取得する気象情報取得手段と、ヒートポンプ式貯湯装置の運転計画を作成する運転計画作成手段と、を含み、運転計画作成手段は、運転履歴データと、過去の消費電力履歴データと、過去および翌日の気象情報とから、翌日の消費電力のピーク時間帯を判断し、ピーク時間帯に動作する予定のヒートポンプ式貯湯装置を判断し、ピーク時間帯に動作する予定のヒートポンプ式貯湯装置のうち、動作時間帯を変更できるヒートポンプ式貯湯装置を判断し、動作時間帯を変更できるヒートポンプ式貯湯装置に、動作時間帯を変更した設定時間を送信することを特徴とする。
【００１４】
上述したヒートポンプ式貯湯装置の運転時間設定方法における技術的思想に対応する構成要素やその説明は、当該ヒートポンプ式貯湯装置の運転計画システムにも適用可能である。
【発明の効果】
【００１５】
本発明によれば、一括受電を行っている建物に設置された複数のヒートポンプ式貯湯装置において、深夜時間帯や夜間時間帯の消費電力のピークを抑制することができ、受電契約容量の低下、ひいては需要家の電気料金の削減を図ることが可能なヒートポンプ式貯湯装置の運転時間設定方法およびヒートポンプ式貯湯装置の運転計画システムを提供することが可能である。
【図面の簡単な説明】
【００１６】
【図１】本実施形態にかかるヒートポンプ式貯湯装置の運転計画システムの構成を説明する図である。
【図２】本実施形態にかかるヒートポンプ式貯湯装置の運転時間設定方法について説明するフローチャートである。
【図３】建物における消費電力のシミュレーション結果を例示した図である。
【図４】ステップＳ２１０における貯湯装置の判断の詳細を例示するフローチャートである。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本実施形態にかかるヒートポンプ式貯湯装置の運転計画システムの構成を説明する図である。以下、図１に示すヒートポンプ式貯湯装置の運転計画システムについて詳述しながら、本実施形態にかかるヒートポンプ式貯湯装置の運転時間設定方法についても併せて説明する。また以下の説明では、ヒートポンプ式貯湯装置を貯湯装置１２０、その運転計画システムを運転計画システム１００、その運転時間設定方法を単に運転時間設定方法と称する。
【００１９】
図１（ａ）は運転計画システム１００の全体構成を示す図であり、図１（ｂ）は運転制御装置１３０の構成を示すブロック図である。図１（ａ）に示す集合住宅（以下、建物１０２と称する）では、電力会社から一括受電を行っている（高圧電力契約）。建物１０２には、９戸の住宅１０２ａが入っていて、各住宅１０２ａでは、建物１０２のデベロッパーや管理会社と低圧電力契約を行っている。
【００２０】
図１（ａ）に示すように、本実施形態の運転計画システム１００は、各住宅１０２ａに設置されている運転制御装置１３０を含んで構成されるＨＥＭＳ（Home Energy Management System）であり、一括受電を行っている建物１０２に設置された複数の貯湯装置１２０の運転計画を作成する。運転制御装置１３０とサーバ１０６とは、インターネット１０４（ＷＡＮ：Wide Area Network）によって接続されている。
【００２１】
また各住宅１０２ａには、負荷１１０および貯湯装置１２０（ヒートポンプ（ＨＰ）式貯湯装置）が設置されている。負荷１１０としては、住宅１０２ａの室内に配置されている空調機やテレビ、冷蔵庫等の電気機器を例示することができる。貯湯装置１２０は、ヒートポンプによって生成した湯水を貯湯タンクに貯湯し、かかる湯水を給湯設備に供給する（不図示）。これらの負荷１１０および貯湯装置１２０は、ＬＡＮ（Local Area Network）によって運転制御装置１３０に接続されている。
【００２２】
図１（ｂ）に示す運転制御装置１３０は、本実施形態では主に貯湯装置１２０の動作（運転）を制御する。運転制御装置１３０は、貯湯装置１２０の動作を制御する運転制御手段１４０、および各種データを記憶するデータ記憶手段１５０を含んで構成される。なお、本実施形態では、運転制御手段１４０およびデータ記憶手段１５０は運転制御装置１３０に含まれる構成を例示するが、これに限定するものではなく、運転制御手段１４０およびデータ記憶手段１５０を別々の装置としてもよい。
【００２３】
運転制御手段１４０は、運転計画作成手段１４２、気象情報取得手段１４４、運転状態取得手段１４６および消費電力推定手段１４８としても機能する。運転計画作成手段１４２は、後に詳述するように貯湯装置１２０の運転計画を作成する。気象情報取得手段１４４は、インターネット１０４を介してサーバ１０６から翌日の気象情報を取得する。運転状態取得手段１４６は、貯湯装置１２０の運転状態（運転状態の履歴データ）を取得する。消費電力推定手段１４８は翌日の消費電力を推定する。なお、特に本実施形態では、後述するように、消費電力推定手段１４８は、貯湯装置１２０の動作時間を変更した場合には、変更した動作時間に基づいて翌日の消費電力を推定（試算）する。これらの各手段は、具体的には運転制御装置１３０で実行されるプログラムである。
【００２４】
データ記憶手段１５０は、運転履歴データ１５２、消費電力履歴データ１５４および気象情報データ１５６を記憶する。運転履歴データ１５２は、各住宅１０２ａにおける貯湯装置１２０、すなわち一括受電を行っている建物１０２に設置された複数の貯湯装置１２０の過去の運転履歴のデータであり、運転状態取得手段１４６が取得した複数の貯湯装置１２０の運転状態の履歴データを蓄積したものである。消費電力履歴データ１５４は、建物１０２の各住宅１０２ａにおける負荷１１０の過去の消費電力の履歴データである。気象情報データ１５６は、気象情報取得手段１４４が取得した気象情報を蓄積した過去の気象情報のデータである。
【００２５】
図２は、本実施形態にかかるヒートポンプ式貯湯装置の運転時間設定方法について説明するフローチャートである。以下、運転計画システム１００における運転制御手段１４０の動作について詳述しながら、本実施形態にかかる運転時間設定方法についても併せて説明する。
【００２６】
本実施形態の運転時間設定方法では、運転制御手段１４０は運転計画作成手段１４２として機能し、一括受電を行っている建物１０２に設置された複数の貯湯装置１２０の運転時間を設定する。図２に示すように、運転計画作成手段１４２は、まずデータ記憶手段１５０を参照し、各住宅１０２ａに設置された複数の貯湯装置１２０の過去の運転履歴データ１５２を取得する（ステップＳ２０２）。
【００２７】
次に運転計画作成手段１４２は、データ記憶手段１５０を参照し、建物１０２における過去の消費電力履歴データ１５４、すなわち建物１０２の各住宅１０２ａに設置されている負荷１１０の過去の消費電力履歴データを取得する（ステップＳ２０４）。続いて運転制御手段１４０は、運転計画作成手段１４２として機能し、データ記憶手段１５０に記憶されている過去の気象情報データ１５６を取得し、気象情報取得手段１４４として機能し、翌日の気象情報（気象情報データ）を取得する（ステップＳ２０６）。
【００２８】
図３は、建物１０２における消費電力のシミュレーション結果を例示した図である。運転履歴データ１５２、過去の消費電力履歴データ１５４、ならびに過去および翌日の気象情報データ１５６を取得したら、運転計画作成手段１４２は、それらのデータを参照し、翌日の消費電力のピーク時間帯を判断する（ステップＳ２０８）。
【００２９】
図３（ａ）に示す例では、早朝の４時から６時までの時間帯、および夜間の２１時から２２時までの時間帯が消費電力のピーク時間帯となっている。また１２時から１７時までの時間帯が消費電力のボトムの時間帯となっている。以下、早朝の４時から６時までのピーク時間帯を深夜ピーク時間帯、夜間の２１時から２２時までのピーク時間帯を夜間ピーク時間帯、昼の１１時から１７時までの時間帯をボトム時間帯と称する。
【００３０】
なお、深夜ピーク時間帯が発生する要因としては、各住宅１０２ａに設置されている貯湯装置１２０が、住人が日中に使用する湯水を貯湯しておくために沸き上げ運転を行うことを想定している。また夜間ピーク時間帯が発生する要因としては、深夜に沸き上げた湯水を住人が日中に使用することにより湯水が不足したために追加で沸き上げ運転を行うことを想定している。
【００３１】
翌日の消費電力のピーク時間帯を判断したら、運転計画作成手段１４２は、データ記憶手段１５０に記憶されている貯湯装置１２０の過去の運転履歴データを参照し、ピーク時間帯に動作する予定の貯湯装置１２０を判断する（ステップＳ２１０）。そして、運転計画作成手段１４２は、ステップＳ２１０において判断したピーク時間帯に動作する予定の貯湯装置１２０のうち、動作時間帯を変更できる貯湯装置１２０を判断する（ステップＳ２１２）。
【００３２】
図４は、ステップＳ２１０における貯湯装置１２０の判断の詳細を例示するフローチャートである。本実施形態では、動作時間を変更できる貯湯装置１２０を判断する際に、貯湯装置１２０の過去の使用湯量を用いている。
【００３３】
図４に示すように、動作時間を変更できる貯湯装置１２０を判断する際には、まず運転計画作成手段１４２は、データ記憶手段１５０に記憶されている複数の貯湯装置１２０の過去の運転履歴データ１５２を参照し、複数の貯湯装置１２０の過去の使用湯量を取得する（ステップＳ２２２）。そして運転計画作成手段１４２は、ピーク時間帯に動作する予定の貯湯装置１２０の朝・昼の使用湯量が所定量以上であるか否かを判断する（ステップＳ２２４）。なお、朝・昼の時間帯（図３では「朝・昼時間帯」と表記）としては、上述したように例えば７時〜１７時を例示することができる。
【００３４】
ピーク時間帯に動作する予定の貯湯装置１２０の朝・昼の使用湯量が所定量以上であったら（ステップＳ２２４のＹＥＳ）、運転計画作成手段１４２は、その貯湯装置１２０を、夜間の動作時間帯を早めに変更できる貯湯装置１２０であると判断する（ステップＳ２２６）。朝・昼の使用湯量が所定量以上であるということは、深夜時間帯で沸き上げた湯水を比較的早い時間帯に使用しているということである。したがって、使用した量を日中の時間帯に追加で沸き上げておくことができるため夜間時間帯の追加沸き上げを減らすことができる。
【００３５】
具体的には、図３（ｂ）に示すように、夜間の動作時間帯を早めに変更できる貯湯装置１２０（朝・昼の使用湯量が所定量以上の貯湯装置１２０）の動作時間を、夜間ピーク時間帯から早めに変更する。すなわち貯湯装置１２０の夜間の動作時間をボトム時間帯に移動する。これにより、特に夜間ピーク時間帯の消費電力を好適に抑制することが可能となる。
【００３６】
一方、ピーク時間帯に動作する予定の貯湯装置１２０の朝・昼の使用湯量が所定量未満であったら（ステップＳ２２４のＮＯ）、運転計画作成手段１４２は、その貯湯装置１２０を、深夜の動作時間帯を短縮できる貯湯装置１２０であると判断する（ステップＳ２２８）。朝・昼の使用湯量が所定量未満であるということは、深夜時間帯で沸き上げた湯水は早い時間帯にはあまり使用されないということである。したがって、深夜時間帯で沸き上げる量は少なくて済むため、深夜時間帯の沸き上げ量ひいては深夜の動作時間帯を短縮することができる。
【００３７】
具体的には、図３（ｃ）に示すように、深夜の動作時間帯を短縮できる貯湯装置１２０（朝・昼の使用湯量が所定量未満の貯湯装置１２０）の動作時間を深夜時間帯からボトム時間帯に変更する。これにより、貯湯装置１２０の深夜の動作時間帯が短縮され、深夜ピーク時間帯の消費電力を好適に抑制することが可能となる。
【００３８】
図２に戻り、上述したように運転計画作成手段１４２が動作時間を変更できる貯湯装置１２０を判断したら（ステップＳ２１２）、運転制御手段１４０は消費電力推定手段１４８として機能し、かかる貯湯装置１２０の動作時間を変更した場合（変更後）の翌日の消費電力を推定する（ステップＳ２１４）。そして、運転計画作成手段１４２は、消費電力の推定値を参照し、新たなピーク電力が発生するかどうかを判断する（ステップＳ２１６）。
【００３９】
新たなピーク電力が発生する場合（ステップＳ２１６のＹＥＳ）、運転計画作成手段１４２は、動作時間を変更する貯湯装置の台数（貯湯装置１２０の変更台数）を削減する（ステップＳ２１８）。そして、運転計画作成手段１４２は、ボトム時間帯における新たなピーク電力が発生しなくなるまでステップＳ２１０〜ステップＳ２１６を繰り返す。これにより、貯湯装置１２０の動作時間をボトム時間帯に変更した場合におけるボトム時間帯での新たな消費電力のピークの発生を防ぎつつ、その範囲内において貯湯装置１２０の動作時間を変更することができる。
【００４０】
一方、新たなピーク電力が発生しない場合（ステップＳ２１６のＮＯ）、運転計画作成手段１４２は、ステップＳ２１２で動作時間を変更できると判断した貯湯装置１２０を、動作時間を変更する貯湯装置１２０に決定する。そして、運転計画作成手段１４２は、動作時間を変更した設定時間を貯湯装置１２０の運転計画とし（運転計画を作成し）、各貯湯装置１２０に、動作時間帯を変更した設定時間（運転計画）を送信する（ステップＳ２２０）。これにより、例えば図３（ａ）の深夜ピーク時間帯および夜間ピーク時間帯における貯湯装置１２０の消費電力は、図３（ｂ）や図３（ｃ）に示すように日中に割り振られ、消費電力のピークが緩和される。
【００４１】
上記説明したように、本実施形態のヒートポンプ式貯湯装置の運転時間設定方法およびヒートポンプ式貯湯装置の運転計画システムでは、ピーク時間帯に動作する予定の貯湯装置１２０のうち、動作時間を変更することが可能な貯湯装置１２０を判断する。そして、その貯湯装置１２０の動作時間を、深夜時間帯や夜間時間帯以外の時間帯に変更することにより、深夜時間帯や夜間時間帯の消費電力のピークを抑制することができる。これにより、図３（ａ）の深夜時間帯や夜間時間帯の消費電力のピークが、図３（ｂ）に示すように抑制されるため、一括受電方式の受電契約容量を低下することができ、需要家の電気料金の削減を図ることが可能となる。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、一括受電を行っている建物に設置された複数のヒートポンプ式貯湯装置の運転時間設定方法、かかるヒートポンプ式貯湯装置の運転計画システムに利用することができる。
【符号の説明】
【００４４】
１００…運転計画システム、１０２…建物、１０２ａ…住宅、１０４…インターネット、１０６…サーバ、１１０…負荷、１２０…貯湯装置、１３０…運転制御装置、１４０…運転制御手段、１４２…運転計画作成手段、１４４…気象情報取得手段、１４６…運転状態取得手段、１４８…消費電力推定手段、１５０…データ記憶手段、１５２…運転履歴データ、１５４…消費電力履歴データ、１５６…気象情報データ
【図１】
0006606870.tif 000002
【図２】
0006606870.tif 000003
【図３】
0006606870.tif 000004
【図４】
0006606870.tif 000005